【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】
所定の操作子の操作に応じた操作パターン情報を入力する入力手段と、
上記入力手段によって入力された上記操作パターン情報と所定の記憶手段に予め登録された登録操作パターン情報とが一致したときのみ認証し、所定の処理を実行する制御手段と
を具えることを特徴とする認証装置。
【請求項２】
上記操作子は、ユーザ操作を回転の動きとして入力させるための入力デバイスであり、
上記操作パターン情報は、上記ユーザ操作の回転の動きに応じたパターン情報である
ことを特徴とする請求項１に記載の認証装置。
【請求項３】
上記操作パターン情報は、上記ユーザ操作の回転の動きに応じて割り当てられた数値の組み合わせパターン情報である
ことを特徴とする請求項２に記載の認証装置。
【請求項４】
上記入力手段は、上記所定の操作子が押圧操作された場合に押圧操作信号を入力し、
上記制御手段は、上記押圧操作信号が入力されると、当該押圧操作信号の入力前に入力された操作パターン情報に基づいて、上記認証を行う
ことを特徴とする請求項２に記載の認証装置。
【請求項５】
上記ユーザ操作の回転の動きに応じて、所定の表示画面上に表示されたダイヤル表示部を回動して表示する表示手段
を具えることを特徴とする請求項２に記載の認証装置。
【請求項６】
上記ダイヤル表示部の周縁部には目盛りが設けられ、
上記表示手段は、上記ユーザ操作の回転の動きに応じた回転数に比例した目盛りの分、上記ダイヤル表示部を回動して表示する
ことを特徴とする請求項５に記載の認証装置。
【請求項７】
上記操作子は、回動操作を行うジョグダイヤルであり、
上記操作パターン情報は、上記ジョグダイヤルの回動操作パターン情報である
ことを特徴とする請求項１に記載の認証装置。
【請求項８】
上記ジョグダイヤルの上記回動操作に応じて、所定の表示画面上に表示されたダイヤル表示部を回動して表示する表示手段を具える
ことを特徴とする請求項７に記載の認証装置。
【請求項９】
所定の操作子の操作に応じた操作パターン情報を入力する入力ステップと、
上記入力された上記操作パターン情報と所定の記憶手段に予め登録された登録操作パターン情報とが一致したときのみ認証し、所定の処理を実行する処理実行ステップと
を具えることを特徴とする認証方法。
【請求項１０】
上記操作子は、ユーザ操作を回転の動きとして入力させるための入力デバイスであり、
上記操作パターン情報は、上記ユーザ操作の回転の動きに応じたパターン情報である
ことを特徴とする請求項９に記載の認証方法。
【請求項１１】
上記操作パターン情報は、上記ユーザ操作の回転の動きに応じて割り当てられた数値の組み合わせパターン情報である
ことを特徴とする請求項１０に記載の認証方法。
【請求項１２】
上記処理実行ステップは、上記操作子が押圧操作されると、当該押圧操作の前に入力された操作パターン情報に基づいて上記認証を行う
ことを特徴とする請求項１０に記載の認証方法。
【請求項１３】
上記ユーザ操作の回転の動きに応じて、所定の表示画面上に表示されたダイヤル表示部を回動して表示する表示ステップ
を具えることを特徴とする請求項１０に記載の認証方法。
【請求項１４】
上記ダイヤル表示部の周縁部には目盛りが設けられ、
上記表示ステップは、上記ユーザ操作の回転の動きに応じた回転数に比例した目盛りの分、上記ダイヤル表示部を回動して表示する
ことを特徴とする請求項１３に記載の認証方法。
【請求項１５】
上記操作子は、回動操作を行うジョグダイヤルであり、
上記操作パターン情報は、上記ジョグダイヤルの回動操作パターン情報である
ことを特徴とする請求項９に記載の認証方法。
【請求項１６】
上記ジョグダイヤルの上記回動操作に応じて、所定の表示画面上に表示されたダイヤル表示部を回動して表示する
ことを特徴とする請求項１５に記載の認証方法。
【請求項１７】
所定の操作子の操作に応じた操作パターン情報を入力する入力ステップと、
上記入力された上記操作パターン情報と所定の記憶手段に予め登録された登録操作パターン情報とが一致したときのみ認証し、所定の処理を実行する処理実行ステップと
からなるプログラムを情報処理装置に実行させるプログラム格納媒体。
【請求項１８】
上記操作子は、ユーザ操作を回転の動きとして入力させるための入力デバイスであり、
上記操作パターン情報は、上記ユーザ操作の回転の動きに応じたパターン情報である
ことを特徴とする請求項１７に記載のプログラム格納媒体。
【請求項１９】
上記操作パターン情報は、上記ユーザ操作の回転の動きに応じて割り当てられた数値の組み合わせパターン情報である
ことを特徴とする請求項１８に記載のプログラム格納媒体。
【請求項２０】
上記処理実行ステップは、上記操作子が押圧操作されると、当該押圧操作の前に入力された操作パターン情報に基づいて上記認証を行う
ことを特徴とする請求項１８に記載のプログラム格納媒体。
【請求項２１】
上記ユーザ操作の回転の動きに応じて、所定の表示画面上に表示されたダイヤル表示部を回動して表示する表示ステップ
を具えることを特徴とする請求項１８に記載のプログラム格納媒体。
【請求項２２】
上記ダイヤル表示部の周縁部には目盛りが設けられ、
上記表示ステップは、上記ユーザ操作の回転の動きに応じた回転数に比例した目盛りの分、上記ダイヤル表示部を回動して表示する
ことを特徴とする請求項２１に記載のプログラム格納媒体。
【請求項２３】
上記操作子は、回動操作を行うジョグダイヤルであり、
上記操作パターン情報は、上記ジョグダイヤルの回動操作パターン情報である
ことを特徴とする請求項１７に記載のプログラム格納媒体。
【請求項２４】
上記ジョグダイヤルの上記回動操作に応じて、所定の表示画面上に表示されたダイヤル表示部を回動して表示する
ことを特徴とする請求項２３に記載のプログラム格納媒体。
【請求項２５】
所定の操作子の操作に応じた入力情報を供給する入力手段と、
上記入力情報に応じた処理画面を表示する表示手段と、
上記入力情報が所定時間以上途絶したとき上記処理画面を隠蔽し、上記入力手段を介して入力された上記操作子の特定の操作に応じた操作パターン情報と所定の記憶手段に予め登録された登録操作パターン情報とが一致したときのみ、上記隠蔽した上記処理画面を再度表示する表示制御手段と
を具えることを特徴とする情報処理装置。
【請求項２６】
上記操作子は、ユーザ操作を回転の動きとして入力させるための入力デバイスであり、
上記操作パターン情報は、上記ユーザ操作の回転の動きに応じたパターン情報である
ことを特徴とする請求項２５に記載の情報処理装置。
【請求項２７】
上記操作パターン情報は、上記ユーザ操作の回転の動きに応じて割り当てられた数値の組み合わせパターン情報である
ことを特徴とする請求項２６に記載の情報処理装置。
【請求項２８】
上記入力手段は、上記所定の操作子が押圧操作された場合に押圧操作信号を入力し、
上記制御手段は、上記押圧操作信号が入力されると、当該押圧操作信号の入力前に入力された操作パターン情報に基づいて、上記認証を行う
ことを特徴とする請求項２６に記載の情報処理装置。
【請求項２９】
上記ユーザ操作の回転の動きに応じて、所定の表示画面上に表示されたダイヤル表示部を回動して表示する表示手段
を具えることを特徴とする請求項２６に記載の情報処理装置。
【請求項３０】
上記ダイヤル表示部の周縁部には目盛りが設けられ、
上記表示手段は、上記ユーザ操作の回転の動きに応じた回転数に比例した目盛りの分、上記ダイヤル表示部を回動して表示する
ことを特徴とする請求項２９に記載の情報処理装置。
【請求項３１】
上記操作子は、回動操作を行うジョグダイヤルであり、
上記操作パターン情報は、上記ジョグダイヤルの回動操作パターン情報である
ことを特徴とする請求項２５に記載の情報処理装置。
【請求項３２】
上記表示手段は、上記ジョグダイヤルの上記回動操作に応じて所定のダイヤル表示部を回動して表示する
ことを特徴とする請求項３１に記載の情報処理装置。